(57)【要約】【課題】  本発明は、具象物としての動物の姿態を柔らかな曲線をもって自由に変化させながら具現することができ、しかも光輝ある外観、或いは動物の皮膚感を視認できる外観を有する立体造形物を得ることにある。【解決手段】  金属箔シート４と合成皮革シート３とを両面接着シート５で三層に貼り合せてシート原材２を構成し、このシート原材２を動物の展開平面形状に切り抜いてオブジェ素材６とし、このオブジェ素材６を立体的に折り曲げ或いは湾曲させて前記した動物の立体形態を形成した構成で、動物の皺を表現して実物感を醸し出したり、金属の輝きがきらびやかな装飾物となる。【選択図】        図１
2019017503.tif 000002
【特許請求の範囲】
【請求項１】
金属箔シート（４）と合成皮革シート（３）とを両面接着シート（５）で三層に貼り合せてシート原材（２）を構成し、該シート原材（２）を動物の展開平面形状に切り抜いてオブジェ素材（６）とし、該オブジェ素材（６）を立体的に折り曲げ或いは湾曲させて前記動物の立体形態を形成したことを特徴とする立体造形物。
【発明の詳細な説明】
【技術分野】
【０００１】
本発明は、質感に溢れた或いは意匠的美観に溢れた動物の立体形状の姿態を好みに応じて自由に得ることができるようにした立体造形物に関するものである。
【背景技術】
【０００２】
紙製のシートを適宜折り曲げて立体物を作成するものとして古来より折り紙が知られている。折り紙は、多々の折り畳み手段更には切り込みを入れるなどして様々な姿態の動物や物品を模した形状を作成することができ、単なる知的作業だけでなく完成品は装飾品としても楽しまれている。しかしながら、様々な折り方があるとはいえ最終的にはその完成形態は画一的であり、完成した構成に大きな変化を求めることはできず、また作成するシート素材も色紙や千代紙などに限られていて、美感や質感に不満の残る処であった。
【０００３】
この点に関し、折り紙の完成品に金属的な美感や質感を付与しようとする試みとして以下のような先行技術が開示されている。
【先行技術文献】
【特許文献】
【０００４】
【特許文献１】特開２００２−２２４４６４号公報
【特許文献２】特開２０１５−３６０１０号公報
【発明の概要】
【発明が解決しようとする課題】
【０００５】
上記した特許文献１の発明「造形用創作布」はアルミ箔の両面に布シートを貼着したシートを折り紙の素材としたものであり、布の目からアルミ箔の光沢が漏れ出て光輝性を発揮させることができるとしている。また特許文献２の発明「造形用金属折り紙」は、金属箔の片面に布材を貼着するとともに他面に貴金属箔を貼着した構成のシートを折り紙の素材としたもので、金属箔による適度の剛性と折り目の保持性が得られ、貴金属箔の意匠的効果が得られるとしている。
【０００６】
しかしながら、特許文献１の発明「造形用創作布」はアルミ箔を芯にした布シートであるので、所謂腰が弱く、立体物としての自立性に不安の残るものであり、アルミ箔を折り畳んでしまうと金属疲労による分断・亀裂の虞があり、この点では特許文献２の発明「造形用金属折り紙」でも同様である。
【０００７】
そもそも上記各特許文献の発明は「折り紙」としての前提があり、ひとたび造形物として作成すれば装飾作品として保存されることになるので、様々な姿態に変化できるように繰り返しての折り曲げは想定しておらず、分断や亀裂に対する配慮をする必要はないのであろう。
【０００８】
そして折り紙は折り畳んで重ね合せたり、或いは鋭角にしろ鈍角にしろ折り目線が形成されてしまうので、立体物として出来上がったとしてもその作品は直線的であり、動物のような具象物としては現物感が得られない。自然物である動物の外観では直線はあり得ないからである。
【０００９】
よって本発明は、上述した従来技術の欠点、不都合、不満を解消するべく発明されたものであって、具象物としての動物の姿態を柔らかな曲線をもって自由に変化させながら具現することができ、しかも光輝ある外観、或いは動物の皮膚感を視認できる外観を有する立体造形物を提供することにある。
【課題を解決するための手段】
【００１０】
上記課題を解決するため、本発明の立体造形物は、金属箔シートと合成皮革シートとを両面接着シートで三層に貼り合せてシート原材を構成し、このシート原材を動物の展開平面形状に切り抜いてオブジェ素材とし、更にこのオブジェ素材を立体的に折り曲げ或いは湾曲させて前記した動物の立体形態を形成したことを特徴とする構成である。
【発明の効果】
【００１１】
従って本発明の立体造形物では、動物の展開平面形状のオブジェ素材を背骨部分に沿って湾曲させ、適宜四足を略筒状に丸め、首をもたげるなどしてその動物の立体形態を形成することができるのである。オブジェ素材はシート状であるから自由に湾曲変形が容易であり、金属箔シートの形態自己保持によりその加工形状が維持でき、立脚も達成できる。
【００１２】
また、金属箔シートであるから折れ線の筋を付与することもできるため、その折れ線が動物の皺を表現することになり、実物感を醸し出すことができる。
【００１３】
そして金属箔シート面を表面にして作品を形成すれば、その金属の輝きがそのまま素材を生かしたきらびやかな装飾物となり、上記した折れ線による屈曲で光が乱反射し、更に美麗なものとなる。
【００１４】
また、合成皮革シート面を表面にして作品を形成すれば、その合成皮革シートがそのまま素材を生かした動物の肌を具現することになり、金属箔シートに付与した上記した折れ線による屈曲はそのまま合成皮革シートの表面に転写されるだけでなく、両面接着シートの有する弾性を生かして表情豊かに表出されることになるので、動物の皺の質感が更に醸し出される。更には両面接着シートが言わば芯材となるので金属箔シートが逆折れになることを防いで金属疲労を避けさせることができ、安価に大量資産が可能である等、多くの優れた作用効果を奏する。
【図面の簡単な説明】
【００１５】
【図１】（ａ）はオブジェ素材の合成皮革シート側を表面にして、動物のゾウを作成した造形物を示す斜視図、（ｂ）は同じく金属箔シートを表面にした斜視図である。
【図２】オブジェ素材の合成皮革シート側を表面にして、動物のキリンを作成した造形物を示す斜視図である。
【図３】（ａ）はオブジェ素材を動物のゾウに切り抜いた合成皮革シート面の展開平面図、（ｂ）はオブジェ素材を動物のキリンに切り抜いた合成皮革シート面の展開平面図である。
【図４】（ａ）はオブジェ素材を動物のゾウに切り抜いた金属箔シート面の展開平面図、（ｂ）はオブジェ素材を動物のキリンに切り抜いた金属箔シート面の展開平面図である。
【図５】本発明のシート原材の部分拡大断面図である。
【図６】（ａ）はオブジェ素材の合成皮革シート側を表面にして、動物のゾウを作成した造形物を示す図面代用写真、（ｂ）は同じく金属箔シートを表面にした図面代用写真である。
【図７】オブジェ素材の合成皮革シート側を表面にして、動物のキリンを作成した造形物を示す図面代用写真である。
【発明を実施するための形態】
【００１６】
本発明の立体造形物１のシート原材２は、合成皮革シート３とアルミニュームの金属箔シート４とを両面接着シート５でシート状に貼り合せたもので（図５参照）、このシート原材２を例えば動物のゾウの展開平面形状に切り抜いて（図３（ａ）、図４（ａ））、或いは動物のキリンの展開平面形状に切り抜いて（図３（ｂ）、図４（ｂ））、オブジェ素材６とする。そしてこのオブジェ素材６を背骨部分に沿って湾曲させ、適宜四足を略筒状に丸め、首をもたげるなどしてその動物の立体形態を形成し、立体造形物１とすることができるのである。
【実施例】
【００１７】
切り抜くオブジェ素材６の形状は図示したゾウやキリンに限られるものではなく、クマやライオン、ネコ、イヌ、更にはヒトであっても良い。オブジェ素材６の具体的な構成を図１、図３の（ａ）、図４の（ａ）の動物のゾウについて述べるならば、ゾウを平面的に仮想展開して、背部７、頭部８、耳部９、鼻部１０、脚部１１、尾部１２を一体的になるようにしてシート原材２を切り抜く。
【００１８】
そしてこの切り抜いたオブジェ素材６にあって、例えば先ず背部７を前後方向に沿って略逆Ｕ字形状に湾曲させ、次いで頭部８を丸め、耳部９を側方に開き、鼻部１０、脚部１１、尾部１２を略筒状に丸め込んで立体造形物１として形成するのである。
【００１９】
その具体的な姿態は作成者の好みに応じて様々な変化が実現でき、例えば図１に示すように脚部１１の四本足で立って鼻１０の先で餌を採ろうとするポーズ、図６（ｂ）に示すように耳部９を前方に拡げ鼻部１０の先端部をもたげるポーズ、或いは脚部１１のいずれかを曲げて三本足で立つポーズ（図示省略）、等など、多彩である。
【００２０】
表面に表わそうとする皺線もまた適宜折り曲げることにより自由に選択でき、折り曲げた脚部１１の関節部分や鼻部１０の湾曲部分に施したり、全体的に縮緬皺を形成したりすることも可能である。
【符号の説明】
【００２１】
１  立体造形物
２  シート原材
３  合成皮革シート
４  金属箔シート
５  両面接着シート
６  オブジェ素材
７  背部
８  頭部
９  耳部
１０  鼻部
１１  脚部
１２  尾部
【図１】
2019017503.tif 000003
【図２】
2019017503.tif 000004
【図３】
2019017503.tif 000005
【図４】
2019017503.tif 000006
【図５】
2019017503.tif 000007
【図６】
2019017503.tif 000008
【図７】
2019017503.tif 000009